【事件の表示】
　平成　８年特許願第１８７９０８号「液晶表示装置」拒絶査定不服審判事件〔平成１０年　２月　３日出願公開、特開平１０−　３１２１５〕について、次のとおり審決する。
【結　論】
　本件審判の請求は、成り立たない。
【理　由】
１．手続の経緯・本願発明
　本願は、平成８年７月１７日の出願であって、その請求項に係る発明は、平成１４年８月２７日付及び平成１７年３月１４日付手続補正書で補正された明細書及び図面の記載からみて、その特許請求の範囲の請求項１〜３に記載されたものと認められるところ、請求項１に係る発明は次のものである。
「【請求項１】ガラス基板と、ガラス基板上に形成された電極部と、該電極部上に形成された配向膜をそれぞれ有する第１の基板および第２の基板を備え、該第１の基板と第２の基板とが対向配置されてそれらの間に液晶が封入されてなり、前記電極部が、平面視矩形状の表示画面領域に形成されたストライプ状の表示部透明電極群と、表示画面領域の少なくとも１辺の外方に前記表示部透明電極群を引き出すストライプ状の引き出し透明電極群と、前記表示画面領域の外側に形成されたストライプ状の外側透明電極群とからなるＳＴＮ型の液晶表示装置であって、
　前記第１の基板の電極部の前記表示部透明電極群の周囲の対向する２辺の外方にそれぞれ前記引き出し透明電極群が形成されており、前記電極部上に前記表示部透明電極群を覆って平面視矩形状の絶縁膜層が形成され、該絶縁膜層が平面視矩形状の前記配向膜に被覆されており、
　前記引き出し透明電極群が設けられていない電極部の２辺の外側では、前記絶縁膜層と前記外側透明電極群とが前記配向膜に被覆されて前記外側透明電極群の端縁が前記配向膜の端縁よりも内側に位置しており、
　前記引き出し透明電極群が設けられている電極部の２辺の外側では前記絶縁膜層が前記配向膜に被覆され、前記引き出し透明電極群が前記配向膜の外側に引き出され、
　前記第１の基板の引き出し透明電極群の設けられていない辺が該第１の基板における配向膜のラビング処理における擦り始め側とされる一方、
　前記第２の基板の電極部の前記表示部透明電極群の周囲の１辺の外方に前記引き出し透明電極群が形成されており、前記表示部透明電極群の周囲の４辺のうち、前記引き出し透明電極群が形成されていない３辺の外側では、前記表示部透明電極群の外側に位置する外側透明電極群が前記配向膜に被覆されて前記外側電極群の端縁が前記配向膜の端縁よりも内側に配置されており、前記引き出し透明電極群が形成された１辺の外側では前記配向膜の外側に前記引き出し透明電極群が引き出され、
　前記第２の基板の引き出し透明電極群の設けられていない辺が該第２の基板における配向膜のラビング処理における擦り始め側とされる一方、
　前記第１の基板の前記引き出し透明電極群が形成されていない側の辺と、前記第２の基板の引き出し透明電極群が形成されている側の辺とを対向させて第１の基板と第２の基板が対向配置され、かつ、前記第１の基板と第２の基板との対向面において、前記ラビング処理の擦り始め側とされた辺同士が対向配置されてなり、前記第１の基板及び第２の基板における配向膜が、ラビングロールを前記擦り始め側とされた辺に対して垂直方向に移動させて擦ることによってラビング処理が施されたものであることを特徴とする液晶表示装置。」（以下、「本願発明」という。）
　なお、平成１４年１１月２５日付手続補正書は却下された。
　
２．刊行物の記載事項
　当審における拒絶理由に引用した引用例は以下のものである。
刊行物１：特開平７−５４７７号公報
刊行物２：特開平６−２８９３７８号公報
刊行物３：実願平１−８２１４５号（実開平３−２２２２３号）のマイクロフィルム
刊行物４：特開平７−２０９６６０号公報
　
　刊行物１（特開平７−５４７７号公報）には、液晶表示装置に関し、下記の記載が認められる。
（あ）「【０００５】ＳＴＮ（スーパーツイステッドネマチック）型液晶表示素子は、複屈折効果を利用しているため、・・・液晶層厚ｄを均一にすることは、ＳＴＮ型液晶表示素子にとって非常に重要な要素である。・・・
【００２０】実施例１
　図１（ａ）は本発明の第１の実施例の液晶表示セルの概略断面図である。
【００２１】１１、１２は透明ガラス基板（１１は上電極基板、すなわちコモン側電極基板、１２は下電極基板、すなわちセグメント側電極基板）、３１、３２は基板１１、１２にそれぞれ平行に配列して設けられた帯状の表示用透明電極（３１は上電極、すなわちコモン側電極、３２は下電極、すなわちセグメント側電極）で、基板１１に設けた電極３１と基板１２に設けた電極３２とは両基板１１、１２の面と垂直な方向から見た場合、互いに直角に交差するように配置されている。６６は両基板１１、１２の各電極３１、３２が互いに直角に交差する領域から構成される表示ドット領域（図１３参照）、２１、２２はそれぞれ電極１１、１２を設けた基板１１、１２の面上に設けられ、ラビング処理が施された配向膜、５２は両基板１１、１２間の縁周囲に設けられ、両基板１１、１２を貼り合わせると共に、両基板１１、１２間に液晶を封止するためのエポキシ樹脂から成るシール材、５０は液晶層、６８はポリマービーズの弾性小球から成り、基板間隔を一定にするためのスペーサである。」、
（い）「【００２３】実施例２
　図１（ｂ）は本発明の第２の実施例の液晶表示素子の概略断面図である。
【００２４】本実施例では、図１（ｂ）に示すように、最外列の２本の電極３１’の外側と表示ドット領域６６内の電極が存在しない部分が、電極３１、３１’が存在する部分と同一の高さになるように絶縁膜、例えばシリコン酸化膜（ＳｉＯ２膜）６９を用いて平坦化されている。なお、基板１２の側の電極３２については、図示してないが、基板１１側と同様に絶縁膜７０により平坦化されている。平坦に形成された絶縁膜６９、７０上には配向膜２１、２２を全面が平坦になるように均一の厚さで形成し、配向膜２１、２２にラビング処理を施した後、両基板１１、１２間に、液晶層５０とスペーサ６５を挟んで液晶セル６０を作製し、・・・液晶表示素子６２を作製した。・・・
【００２８】さらに、図１（ａ）、（ｂ）に示したように、第１、第２の実施例では、配向膜２１、２２の表面が平坦なので、ラビング用布を用いた配向膜２１、２２のラビング処理を良好に行なうことができ、図１４の従来例で説明したようなエッジドメインの発生を防止することができ、表示品質が向上する。」、
（う）「【００３２】図４において、液晶層５０を挟持する２枚の上、下電極基板１１、１２間で液晶分子がねじれたらせん状構造をなすように配向させるには、例えばガラスからなる透明な上、下電極基板１１、１２上の、液晶に接する、例えばポリイミドからなる有機高分子樹脂からなる配向膜２１、２２の表面を、例えば布などで一方向にこする方法、いわゆるラビング法が採られている。このときのこする方向、すなわちラビング方向、上電極基板１１においてはラビング方向６、下電極基板１２においてはラビング方向７が液晶分子の配列方向となる。このようにして配向処理された２枚の上、下電極基板１１、１２をそれぞれのラビング方向６、７が互いにほぼ１８０度から３６０度で交叉するように間隙ｄ1をもたせて対向させ、２枚の電極基板１１、１２を液晶を注入するための切欠け部（液晶封入口）５１を備えた枠状のシール材５２により接着し、その間隙に正の誘電異方性をもち、旋光性物質を所定量添加されたネマチック液晶を封入すると、液晶分子はその電極基板間で図中のねじれ角θのらせん状構造の分子配列をする。なお３１、３２はそれぞれ例えば酸化インジウム又はＩＴＯ（Indium Tin Oxide）からなる透明な上、下電極である。このようにして構成された液晶セル６０の上電極基板１１の上側に複屈折効果をもたらす部材（以下複屈折部材と称す。・・・）４０が配設されており、さらにこの部材４０および液晶セル６０を挟んで上、下偏光板１５、１６が設けられる。」、
（え）「【００５０】ただし、図９に示す如く、上電極基板１１上に赤、緑、青のカラーフィルタ３３Ｒ、３３Ｇ、３３Ｂ、各フィルター同志の間に光遮光膜３３Ｄを設けることにより、多色表示が可能になる。図７に前記具体例における液晶分子の配列方向、液晶分子のねじれ方向、偏光板の軸の方向および複屈折部材の光学軸の関係を示す。
【００５１】なお、図９においては、各フィルタ３３Ｒ、３３Ｇ、３３Ｂ、光遮光膜３３Ｄの上に、これらの凹凸の影響を軽減するため絶縁物からなる平滑層２３が形成された上に上電極３１、配向膜２１が形成されている。」
（お）図４には、下電極基板１２上に、ストライプ状の下電極３２群が形成され、その両端側が矩形状の配向膜２２から引き出され、上電極基板１１にストライプ状の電極３１群が形成され、一端が矩形状の配向膜２１から引き出されていることがみてとれる。
（か）図４には、【００３２】の記載を参照して、上下基板の対角からラビングが行われていることがみてとれる。
（き）図９には、絶縁物からなる平滑層２３上に形成された配向膜２１が、平滑層２３の端縁を覆っていることがみてとれる。
（く）図１０には、液晶表示素子６２を載置しているプリント基板３５の３辺に駆動用ＩＣ３４が配置され、一辺には駆動用ＩＣが配置されていないことがみてとれる。
　
　刊行物２（特開平６−２８９３７８号公報）には、本願発明の「絶縁膜層」に相当する「トップコート膜」の周縁部分が配向膜２４で覆われていることが図１〜図３とともに記載されている。
　
　刊行物３（実願平１−８２１４５号（実開平３−２２２２３号）のマイクロフィルム）には、ＳＴＮ型液晶表示装置の表示領域の周囲に、ストライプ状のダミー電極を設けると共に、該ダミー電極（本願発明の「外側透明電極群」に相当）の端縁が配向膜の端縁より内側に位置していることが記載されている。（第１図〜第４図参照。）
　
　刊行物４（特開平７−２０９６６０号公報）には、有効表示エリア最外周にダミー電極を設けることが記載されている。
　
３．対比
　本願発明と刊行物１に記載された発明を対比する。
（イ）刊行物１の「透明ガラス基板１１」，「透明ガラス基板１２」，「コモン側電極３１，セグメント側電極３２」，「ＳＴＮ型液晶表示素子」が、それぞれ本願発明の「第１の基板」，「第２の基板」，「ストライプ状の表示部透明電極群，ストライプ状の引き出し透明電極群」，「ＳＴＮ型の液晶表示装置」に相当することは明らかである。
（ロ）刊行物１の上記記載事項（お），（く）及び一辺には駆動用ＩＣが配置されていない図１０を勘案すると、刊行物１には、「前記第１の基板の電極部の前記表示部透明電極群の周囲の対向する２辺の外方にそれぞれ前記引き出し透明電極群が形成されており」、「前記引き出し透明電極群が設けられている電極部の２辺の外側では前記絶縁膜層が前記配向膜に被覆され、前記引き出し透明電極群が前記配向膜の外側に引き出され、」、「前記第２の基板の電極部の前記表示部透明電極群の周囲の１辺の外方に前記引き出し透明電極群が形成されており、」及び「前記引き出し透明電極群が形成された１辺の外側では前記配向膜の外側に前記引き出し透明電極群が引き出され、」との技術的事項に相当する事項が記載されている。
（ハ）刊行物１の上記記載事項（き）から、刊行物１には、「前記電極部上に前記表示部透明電極群を覆って平面視矩形状の絶縁膜層が形成され、該絶縁膜層が平面視矩形状の前記配向膜に被覆されて」いるとの技術的事項に相当する事項が記載されている。
　
　よって、本願発明の用語を用いると、刊行物１には、
「ガラス基板と、ガラス基板上に形成された電極部と、該電極部上に形成された配向膜をそれぞれ有する第１の基板および第２の基板を備え、該第１の基板と第２の基板とが対向配置されてそれらの間に液晶が封入されてなり、前記電極部が、平面視矩形状の表示画面領域に形成されたストライプ状の表示部透明電極群と、表示画面領域の少なくとも１辺の外方に前記表示部透明電極群を引き出すストライプ状の引き出し透明電極群とからなるＳＴＮ型の液晶表示装置であって、
　前記第１の基板の電極部の前記表示部透明電極群の周囲の対向する２辺の外方にそれぞれ前記引き出し透明電極群が形成されており、前記電極部上に前記表示部透明電極群を覆って平面視矩形状の絶縁膜層が形成され、該絶縁膜層が平面視矩形状の前記配向膜に被覆されており、
　前記引き出し透明電極群が設けられている電極部の２辺の外側では前記絶縁膜層が前記配向膜に被覆され、前記引き出し透明電極群が前記配向膜の外側に引き出され、
　前記第２の基板の電極部の前記表示部透明電極群の周囲の１辺の外方に前記引き出し透明電極群が形成されており、前記引き出し透明電極群が形成された１辺の外側では前記配向膜の外側に前記引き出し透明電極群が引き出されてなる液晶表示装置」の発明（以下、「引用発明」という。）が記載されており、本願発明と引用発明は、この点で一致し、下記の点で相違する。
　
相違点１：
　本願発明は、「前記表示画面領域の外側に形成されたストライプ状の外側透明電極群」を有していることから、「前記引き出し透明電極群が設けられていない電極部の２辺の外側では、前記絶縁膜層と前記外側透明電極群とが前記配向膜に被覆されて前記外側透明電極群の端縁が前記配向膜の端縁よりも内側に位置しており」との事項、及び「前記表示部透明電極群の周囲の４辺のうち、前記引き出し透明電極群が形成されていない３辺の外側では、前記表示部透明電極群の外側に位置する外側透明電極群が前記配向膜に被覆されて前記外側電極群の端縁が前記配向膜の端縁よりも内側に配置されて」いるとの事項を有するのに対し、引用発明は、上記事項を有さない点。
相違点２：
　本願発明では、「前記第１の基板及び第２の基板における配向膜が、ラビングロールを前記擦り始め側とされた辺に対して垂直方向に移動させて擦ることによってラビング処理が施されたものである」のに対して、引用発明は、上記事項を有さない点。
相違点３：
　本願発明は、「前記第１の基板の引き出し透明電極群の設けられていない辺が該第１の基板における配向膜のラビング処理における擦り始め側とされる一方、」、「前記第２の基板の引き出し透明電極群の設けられていない辺が該第２の基板における配向膜のラビング処理における擦り始め側とされる一方、前記第１の基板の前記引き出し透明電極群が形成されていない側の辺と、前記第２の基板の引き出し透明電極群が形成されている側の辺とを対向させて第１の基板と第２の基板が対向配置され、かつ、前記第１の基板と第２の基板との対向面において、前記ラビング処理の擦り始め側とされた辺同士が対向配置されてなる」との事項を有するのに対し、引用発明は、上記事項を有さない点。
　
４．判断
　上記相違点について検討する。
相違点１について：
　表示画面領域の外側に、ダミー電極等の外側電極群を形成することは、刊行物３及び刊行物４にも記載されるように従来周知のことである。
　そして、刊行物２には、本願発明の「絶縁膜層」に相当する「トップコート膜」の周縁部分が配向膜２４で覆われていることが記載され、刊行物３には、ＳＴＮ型液晶表示装置の表示領域の周囲に、ストライプ状のダミー電極を設けると共に、該ダミー電極（本願発明の「外側透明電極群」に相当）の端縁が配向膜の端縁より内側に位置していることが記載されており、このことから導電膜、絶縁膜の表面をなるべく配向膜で覆うことが常套手段であることが理解できるばかりでなく、また配向膜は液晶の配向のために設けられるものであるから、液晶に接する部分は配向膜で覆う方が配向性がよくなるとの技術常識に照らせば、導電膜、絶縁膜の表面をなるべく配向膜で覆うことが格別のことでないことが理解できる。
　よって、引用発明の表示画面領域の外側にダミー電極等の外側電極群を形成し、該電極群の端縁を配向膜で覆うことにより、相違点１の事項とすることは、当業者が容易になし得たものである。
　
相違点２，３について：
　ラビング処理において、ラビングロールを擦り始め側の辺に対して垂直方向に移動させて擦ることは周知（例えば、特開昭５４−１３６３５５号公報、特開平４−１１５２２５号公報、特開平４−２２１９２５号公報参照。特に特開平４−１１５２２５号公報の従来技術（図１０）からは、ラビングロールを擦り始め側の辺に対して垂直方向に移動させること及び角度をなして移動させることがともに適宜採用される手段であることが理解される。）のことにすぎないので、相違点２の事項とすることは当業者が適宜採用し得る事項にすぎない。
　そして、上記周知のラビング方法を適用した場合には、上下基板を対向させる際に、上下基板におけるラビング処理の擦り始め側とされた辺同士を対向配置させることも適宜選択しうること（刊行物１の基板６，７においては、そうなる可能性が高い。）であるから、上記相違点３の事項とすることも当業者が適宜採用し得る事項にすぎない。
　
　そして、本願発明によってもたらされる効果は、引用発明及び刊行物２〜４に記載された事項並びに周知技術から予測しうる程度のものである。
　したがって、本願発明は、引用発明及び刊行物２〜４に記載された事項並びに周知技術に基づいて当業者が容易に発明をすることができたものである。
　
５．むすび
　以上のとおり、本願発明は、引用発明及び刊行物２〜４に記載された事項並びに周知技術に基づいて当業者が容易に発明をすることができたものであるから、特許法第２９条第２項の規定により特許を受けることができない。
　よって、結論のとおり審決する。